【事件の表示】
　平成　８年特許願第１６８２８０号「化粧料」拒絶査定不服審判事件〔平成　９年１２月２２日出願公開、特開平　９−３２８４０９〕について、次のとおり審決する。
【結　論】
　本件審判の請求は、成り立たない。
【理　由】
１．手続の経緯・本願発明
　本願は、平成８年６月７日の出願であって、その請求項１に係る発明は平成１９年１０月１日付けの手続補正書の特許請求の範囲の請求項１に記載された事項により特定される次のとおりのものである。（以下、「本願発明」という。）
　
「【請求項１】目の開きが０．１ｍｍの網を通過する程度に湿式粉砕された状態の、一次粒子径が０．１〜２００μｍの範囲にあるシリコーン系樹脂粉体であるシリコーンエラストマー、及びトリメチルシロキシケイ酸、フッ素化シリコーン樹脂から選択される１種又は２種以上の粘着性樹脂、並びに固形油が配合されていることを特徴とする化粧料。」
　
２．引用例の記載の概要
　当審で平成１９年８月２日付けで通知した拒絶の理由に引用された刊行物である引用例Ａ（特開平８−１０４６１１号公報）、引用例Ｂ（特開昭６１−１９４００９号公報）、引用例Ｃ（特開平２−２４３６１２号公報）、及び引用例Ｄ（特開平８−１２５２４号公報）には以下の事項が記載されている。
　
引用例Ａ；
　
（Ａ−１）「【請求項１】一次粒子径が５〜３５０ｎｍの範囲にある微粒子粉体であって、白色粉体および有色粉体が含まれていることを必須とする微粒子粉体一種類以上と油性成分を配合してあることを特徴とし、かつ転写率が０〜２５％の範囲にあることを特徴とするケーキ状メイクアップ化粧料。
…
【請求項５】油性成分が、トリメチルシロキシケイ酸、…を含むことを特徴とする請求項１に記載のケーキ状メイクアップ化粧料。」（特許請求の範囲の請求項１、及び５、２頁１欄２〜３４行）
　
（Ａ−２）「本発明では、…従来化粧品に使用されてきた粉体類、油剤、…を配合することが可能である。…粉体類の例としては、…シリコーンビーズ…等の樹脂粉体…等が挙げられ」（【００２９】【００３０】、４頁５欄４４行〜同頁６欄９行）
　
（Ａ−３）「別の形態の油剤の例としては、たとえば…パーフルオロアルキル・ポリオキシアルキレン共変性オルガノポリシロキサン…が挙げられる。」（【００３２】、４頁６欄３７〜４９行）
　
（Ａ−４）実施例２には、「酸化鉄、アルミナ被覆酸化チタン（平均一次粒子径３０ｎｍ）　１０．０重量部、アルミナ処理ベンガラ（平均一次粒子径６０ｎｍ）　０．５重量部、アルミナ処理黒酸化鉄（平均一次粒子径６０ｎｍ）　０．１重量部、シリコーン処理アモルファス型酸化チタン（平均一次粒子径１７ｎｍ）　５．０重量部、アルミナ処理棒状酸化チタン（短径３０ｎｍ）　１．０重量部、酸化チタン（平均一次粒子径０．３μｍ）　７．０重量部、シリコーンビーズ（平均一次粒子径４．５μｍ）　１０．０重量部、トリメチルシロキシケイ酸　８．０重量部、パーフルオロアルキル・ポリオキシエチレン共変性シリコーン（ＨＬＢ４）　３．０重量部、及び塩化メチレン　５５．４重量部」の 各成分をペイントコンディショナーを用いて粉砕した後、有機溶剤を減圧留去し、ついで、ミキサーを用いて得られた粉体を粉砕し、金型を用いて容器に充填、打型して製品としたケーキ状ファンデーション」が記載されている。（【００５７】〜【００５９】、６頁１０欄〜７頁１２欄、【表３】）
　
引用例Ｂ；
　
（Ｂ−１）「オルガノポリシロキサン硬化物粉体を含有してなることを特徴とするメークアップ化粧料。」（特許請求の範囲、１頁左下欄５〜６行）
　
（Ｂ−２）「オルガノポリシロキサン硬化物粉体は、本発明メークアップ化粧料の肌への塗擦感をなめらかにし、しっとり感を与え、かつ顔料に対し鮮明な色相、着色力、透明性を付与し、健康的な色彩感を与えるために必要な成分である。
　本成分のオルガノポリシロキサン硬化物粉体の原料となる硬化性オルガノポリシロキサン組成物の種類は特に限定されるものでなく、白金系触媒存在下に付加反応により硬化するオルガノポリシロキサンエラストマー組成物、縮合反応により硬化するオルガノポリシロキサンエラストマー組成物…、有機過酸化物により加熱上硬化するオルガノポリシロキサンエラストマー組成物、γ線、紫外線もしくは電子線照射により硬化するオルガノポリシロキサンエラストマー組成物…が例示される。
…
　本成分は、上述したオルガノポリシロキサンを主剤とするエネルギー線硬化性組成物をエネルギー線照射下で硬化させたものをボールミル、アトマイザ−などの公知の粉砕機により粉砕して粉体を得る方法等により製造することができる。
　本成分の粒度は５００ミクロン以下であることが、本発明のメークアップ化粧料になめらかさやしっとり感および健康的で自然な色彩感を付与するに好ましく、より好ましくは１００ミクロン以下である。
　本成分の配合量としては…プレス状メークアップ化粧料においては１．０〜５０重量％が好まし…い。」（２頁左上欄６行〜同頁左下欄２０行）
　
（Ｂ−３）実施例１で、オルガノポリシロキサンエラストマー硬化物をアトマイザーで微細粉砕して得られた１〜５０ミクロンの粒径であるオルガノポリシロキサン硬化物粉体を配合した油性アイライナーの処方例が記載されている。（３頁左上欄１５行〜同頁右上欄末行、４頁左上欄の第１表）
　
引用例Ｃ；
　
（Ｃ−１）「（１）０．５〜８０重量％のシリコーンオイルを含むシリコーン粉粒状物を配合したことを特徴とする化粧料。」（特許請求の範囲の請求項（１）、１頁左下欄５〜７行）
　
（Ｃ−２）「シリコーンゴム粉粒状物は本発明の特徴をなす成分であり、本発明の化粧料になめらかな感触、しっとりした感触等の特性を付与する働きを…する。
　かかるシリコーンゴム粉粒状物の形状は、通常球状である。また、その平均径は、…メークアップ化粧料…の場合には、通常０．１〜１０００μｍの範囲内であって、より好ましくは０．１〜１００μｍの範囲内であ…る。」（２頁左上欄９行〜同頁右上欄２行）
　
（Ｃ−３）「本発明に用いられるシリコーンゴム粉粒状物を製造する方法としては数多くの方法があるが、本発明においてはいずれの方法を採用してもよい。
　これらの方法の好ましい１例を示せば、…シリコーンゴム組成物を通常の方法で硬化させてなる硬化物をボールミル、アトマイザー、ニーダー、ロールミルなどの公知の粉砕機により粉砕して粉体を得る方法等により得られる。
　本発明においてはこれらの中でも粒子径が均一で微細かつ球状の粉体が得られることから、上記のような付加反応硬化型、シリコーンゴム組成物からなる粉粒状物が好ましい。
　本成分の配合量としては…固形およびペースト状化粧料においては０．５重量％から５０重量％が好まし…い。」（４頁左上欄１行〜同頁右上欄１５行）
　
（Ｃ−４）実施例１として、参考例１でコロイドミルを用いて得られた平均径７．５μｍの球状体である、シリコーンオイルを含有するシリコーンゴム粉粒状物を配合した油性ファンデーションが記載されている。（５頁右下欄１行〜６頁右上欄末行）
　
引用例Ｄ；
　
（Ｄ−１）「【請求項１】平均粒子径が０．１〜２００μｍの球状シリコーンゴム粉末（但し、該粉末を形成するシリコーンゴムのＪＩＳ  Ａ硬度が３５〜８０である。）を０．１〜５０重量％含有することを特徴とするメーキャップ化粧料。」（特許請求の範囲の請求項１、２頁１欄２〜６行）
　
（Ｄ−２）「特開昭６１−１９４００９号により提案されるようなシリコーンゴムを粉砕して調製された不定形状シリコーンゴム粉末を配合してなるメーキャップ化粧料は、肌へののびおよびのりが満足できるものでないという問題があった。また、特開平２−２４３６１２号により提案されるような０．５〜８０重量％の非架橋性シリコーンオイルを含有するシリコーンゴム粉末を配合してなるメーキャップ化粧料は、このシリコーンゴム粉末自体の硬度が低く、また粘着性を有するために、肌へののびおよびのりが悪く、またべとつく感じがするという問題があった。」（【０００３】、２頁１欄３８〜４８行）
　
（Ｄ−３）「本発明の組成は、その剤形により異なり、その剤形は特に限定されず、例えば、液状、クリーム状、
ワックス状
　
（Ｄ−４）「本発明のメーキャップ化粧料において、必須の成分であるシリコーンゴム粉末は、その平均粒子径が０．１〜２００μｍの範囲内であることが必要である。これは、平均粒子径が０．１μｍ未満であるシリコーンゴム粉末によると、本発明の効果を発現することが困難であり、また、これが２００μｍをこえるシリコーンゴム粉末によると、きしみ感やゴロゴロした異物感があるためである。」（【０００７】、２頁２欄２４〜３１行）
　
（Ｄ−５）「本発明のメーキャップ化粧料には、良好な付着性を付与し、
また、剤形を半固形または固形に保持するための油性成分として、例えば、融点が５０〜１１０℃のワックスを配合することができる。このワックスとして具体的には、蜜ろう、…ステアリン酸コレステリルが例示され、また、アルコキシ変性ポリシロキサン、ポリオキシアルキレン変性シリコーン、アルキル変性シリコーン等の半固形または固形シリコーン油
　
（Ｄ−６）「本発明のメーキャップ化粧料は、固形状、…、
ケーキ状ファンデーション
　
（Ｄ−７）参考例１では、ホモジナイザー(300kgf/cm2)により最大粒子径３０μｍ、平均粒子径３μｍ、真球状のシリコーンゴム粉末を調製したことが記載されている。参考例５では、らいかい機により３時間かけて微粉砕した後、ふるいにより１００メッシュパスした、最大粒子径１５０μｍ、平均粒子径７０μｍ、不定型状のシリコーンゴム粉末を調製している（【００２１】〜【００２６】、４頁６欄３３行〜５頁７〜８欄、【表１】）
　
（Ｄ−８）「本発明のメーキャップ化粧料は、のびおよびのりがよく、なめらかで、かつ、さらさらした使用感を有するという特徴を有する。」（【００３１】、６頁９〜１０欄）
　
３．対比判断
　引用例Ａの実施例２に、白色粉体および有色粉体を含み、シリコーンビーズ（平均一次粒子径４．５μｍ）、トリメチルシロキシケイ酸、パーフルオロアルキル・ポリオキシエチレン共変性シリコーン（ＨＬＢ４）を配合してなるケーキ状ファンデーション（摘記事項（Ａ−４））（以下、「引用発明」という。）が記載されている。
　上記のシリコーンビーズはシリコーン樹脂粉体の１種であること、及びトリメチルシロキシケイ酸が粘着性樹脂であることは周知である。また、パーフルオロアルキル・ポリオキシエチレン共変性シリコーン（ＨＬＢ４）は油剤である（摘記事項（Ａ−３））
　そこで、本願発明と引用発明とを対比すると、両者は共に「シリコーン樹脂粉体、及びトリメチルシロキシケイ酸、並びに油が配合されていることを特徴とする化粧料」である点で一致し、以下の点で相違する。
　　
（相違点１）本願発明は、シリコーン樹脂粉体が、目の開きが０．１ｍｍの網を通過する程度に湿式粉砕された状態の一次粒子径が０．１〜２００μｍの範囲であるシリコーンエラストマーであるのに対して、引用例発明はシリコーン樹脂粉体の平均一次粒子径が４．５μｍであること以外については記載がない点。
（相違点２）本願発明は油剤が固形油であるのに対して、引用例発明ではパーフルオロアルキル・ポリオキシエチレン共変性シリコーン（ＨＬＢ４）の状態（固形であるか否か）について記載がない点。
　
（相違点１について）
　引用例Ｂ、Ｃに見られるように本願出願前から、シリコン樹脂粉体の１種である、シリコーンゴム（オルガノポリシロキサンエラストマー、シリコーンエラストマーと同義である。）が、メーキャップ化粧料になめらかな感触、しっとりした感触等の特性を付与する化粧品原料であることが知られ、固形状化粧品に使用されている。（摘記事項（Ｂ−１）〜（Ｂ−３）（Ｃ−１）〜（Ｃ−４））
　また、引用例Ｄには、上記引用例ＢおよびＣのシリコーンゴム粉末を更に改良したものとして球状シリコーンゴム粉末が記載されている。（摘記事項（Ｄ−１）（Ｄ−２）（Ｄ−８））
　この引用例Ｄの粉粒状物は、ホモジナイザー、コロイドミル、又はらいかい機により微粉砕して調製され、公知の粉砕機により粉砕して粉体を得る方法等により製造することができるもの（摘示事項（Ｄ−７））であり、湿式粉砕（ホモジナイザー）による例も参考例１に具体的に示されている。この球状シリコーンゴム粉末の平均粒子径は０．１〜２００μｍの範囲（摘記事項（Ｄ−４））とされているが、例えば参考例５の、平均粒子径７０μｍ（すなわち０．０７mm）のシリコーンゴム粉末の最大粒子径は１５０μｍ（すなわち０．１５mm）であって、これは１００メッシュパスしたもの（摘記事項（Ｄ−７））である。１００メッシュパスは、ふるいの目の開きが０．１４７mmに相当し、また本願発明の「目の開きが０．１ｍｍの網を通過する程度」は１５０メッシュ（ふるいの目の開き　０．１０４mm）に概ね該当する。（「単位の辞典　改訂４版」、平成元年１２月１５日　第８刷発行、小泉　袈裟勝監修、ラテイス株式会社編集発行、第２９９〜３００頁参照）
　そうすると、目の開きが０．１ｍｍの網を通過する程度に湿式粉砕された状態のシリコーンゴム（シリコーンエラストマー）粉末は少なくともその一次粒子は１５０μｍ以下であって、固形メーキャップ化粧料の原料となりうることは引用例Ｄから当業者が容易に理解しうることであり、一次粒子径の下限を０．１μｍとする点にも格別の創意は見いだせない。
　
（相違点２について）
　引用例Ｄには、剤形を固形（ワックス状）（摘記事項（Ｄ−３））に保持するための油性成分として、融点が５０〜１１０℃のワックスすなわち固形油に相当する油剤を配合することができることやその具体的剤形としてケーキ状ファンデーションが記載されている（摘示事項（Ｄ−５）（Ｄ−６））のであるから、ケーキ状のファンデーションの処方である引用発明において、シリコーンゴムとともに配合する油剤として固形油を選択することは当業者であれば容易になし得ることである。
　また、本願発明の効果にしても当業者が予測し得る範囲内のものである。
　
４．むすび
　以上のとおり、本願発明は、引用例Ａ乃至引用例Ｄに記載された発明に基づいて、当業者が容易に発明をすることができたものであるから、特許法第２９条第２項の規定により特許を受けることができない。
　よって、結論のとおり審決する。